(57)【要約】【解決手段】  パーソナルコンピュター and/or 各種モバイルの端末デイスプレー上に従来型のショッピングモールにおける現実のショッピングを再現し表示させ、活発に活動するリアルな街並みを提唱し、そのシステムを提供すること。【構成】  各種街並みをバーチャル and/or リアルタウンとしてパーソナルコンピュター and/or 各種モバイルの端末デイスプレー上に表示させ、かつ上記街並内に複数の人物のキャラクターを配し、他に所望の入力命令で、上記自由に行動する人物キャラクターと同等の行動オーナー、操作者（自己アバター）の制作およびその命令手段および、かかる操作者（自己アバター）をネット上の登録を有償 and/or 無償でなしてなる。【特許請求の範囲】
【請求項１】
各種レストランが並ぶフードショップゾーンとか、野球場やプールなどのスポーツ，趣味のゾーンとか、アパート，公共施設とかの生活ゾーンとか、ＯＬゾーンとか天気予報，占いなどのニュース含む街並みを、バーチャル and/or リアルタウンとしてパーソナルコンピュター and/or 各種モバイルの端末デイスプレー上に表示させ、あるいは時間的な経過に従って恰も新しい施設が建設されたかのように表示されるようになし、かつ上記街並内に複数の人物のキャラクターが、自由に歩いたり、自由にショピングしたり、それぞれ好き勝手に歩いたり、佇んだり、スポーツをしてたり観戦したり、観劇などの自由気ままな行動をしており、
他に所望の入力命令で、上記自由に行動する人物キャラクターと同等の行動をなす、操作者（自己アバター）の制作およびその命令手段および、かかる操作者（自己アバター）をネット上の登録を有償 and/or 無償でなすことができることが特徴の、
電子データによる街並み構築方法と構築方法。
【請求項２】
また、操作者の要望で上記街並みのアパートの部屋は、上記操作者（自己アバター）が有償 and/or 無償で借受できるようになったことが特徴の
請求項１に示す電子データによる街並み構築方法。
【請求項３】
かつこの部屋には、上記街並みにある施設の各種イベントに関するダイレクトメールが届けられるようになったことが特徴の
請求項１および２に示す電子データによる街並み構築方法。
【請求項４】
また、上記操作者（自己アバター）の街並みの自由気ままな行動をから、その行動を記録し、同操作者（自己アバター）の嗜好を選択し、この嗜好に基づいた上記ダイレクトメールを操作者（自己アバター）のアパートの部屋届けることができることが特徴の、
請求項１乃至３に示す電子データによる街並み構築方法と構築方法。
【請求項５】
さらに操作者（自己アバター）の嗜好を選択には、例えばスポーツグッズ販売ゾーンに赴いた数量をカウントするなど、操作者の趣味，嗜好にウエイトを付けこの計算を基本とする「データ」そのものに、重み付けをするスキームで計算をされるようにしたことが特徴の、
請求項１乃至４に示す電子データによる街並み構築方法と構築方法。
【請求項６】
上記街並みを自由に行動する人物キャラクターが、立ち寄った施設や店舗などを記録カウントし、その量によってその施設の割引や招待などの基準とするデータを得るようにしたことが特徴の、
請求項１乃至５に示す電子データによる街並み構築方法。
【請求項７】
上記自分のアパートは自分だけの空間を楽む他、ネット上などで同じ興味の仲間や親しい友達を招き入れ、これら集団でグループ，サークルを作るようになし、同グループ，サークルは街に繰り出して多くの友達を見つけたり、同じ興味の仲間やサークルと合体できるようにしたことが特徴の、
請求項１乃至６に示す電子データによる街並み構築方法。
【請求項８】
かかる友達およびサークルを、登録操作者（自己アバター）自身がネット上の登録を有償 and/or 無償でできるようにしたことが特徴の、
請求項１乃至７に示す電子データによる街並み構築方法。
【請求項９】
上記、友達およびサークルの属性情報収集するものであってその収集にあっては、操作者（自己アバター）が独自のデータを収集できる手段を有することで、信頼性の高いコミュニティの評価が得られるようになしたことが特徴の、
請求項１乃至８に示す電子データによる街並み構築方法。
【請求項１０】
同じ興味の仲間や親しい友達と、画像配信システムなどを用いてチャット通信ができる手段と、かかる友達等とはいつでもメッセージのやりとりができるようにしたことが特徴の、
請求項１乃至９に示す電子データによる街並み構築方法。
【請求項１１】
さらに上記街並みに存在する施設で、各種物品やチケットが購入できる手段と、その課金手段を有し、かつこの購入には例えば google など検索するためのウエッブサイトでネット検索も可能であるようにしたことが特徴の、
請求項１乃至１０に示す電子データによる街並み構築方法。
【請求項１２】
続いて、上記街並みの主要箇所に、「ドットポイント」を配置する手段を有し、これら「ドットポイント」の複数を通過等させることにより、かかる「ドットポイント」を加算して、ポイントの大小で特定の報奨を与え、操作者がかかる街並みにくることおよび街並の店舗等により多く廻るよう誘発するようにしたことが特徴の、
請求項１乃至１１に示す電子データによる街並み構築方法。
【請求項１３】
上記ドットポイントは、上記気のあった仲間と共通の趣味や話題からサークルを作るとき、該サークルオーナーになって、仲間を増した場合にもあたえられるようにしたことが特徴の、
請求項１乃至１２に示す電子データによる街並み構築方法。
【請求項１４】
上記街並みに存在する施設や、各種物品やチケットの価格や説明が、吹き出しで表示されるようになしたことが特徴の、
請求項１乃至１３に示す電子データによる街並み構築方法。
【請求項１５】
上記街並を、ダウンロードするに当たっては、特別なアプリケーションを必要とせず、衆知のブラウザ（Internet Explorerなど）で表示する Shockwave Player などで、即上記街並みに入れる（表示される）ようにしたことが特徴の、
請求項１乃至１４に示す電子データによる街並み構築方法。
【請求項１６】
上記街並みの所定箇所や、自己のアパートや、ホテルなどには掲示板（Dotblog）を掲載し、自由な販売促進の為の広告や、自己の記憶の為のメモやＰＲ，他人へのコメント、日記や遊びに来た友達の足跡などが、街並みの中だけでなくホームページとして、ネット上に載できるようになしかつ、かかる掲示板の掲載事項は誰もがみられるように公開、あるいは特定の人しか見ることができないようにしたことが特徴の、
請求項１乃至１５に示す電子データによる街並み構築方法。
【請求項１７】
さらに、上記操作者の上記行動全てをデータベースなどに記録，再生できるようになしたことが特徴の、
請求項１乃至１６に示す電子データによる街並み構築方法。
【請求項１８】
上記街並みのプロデューサーは、上記各ショップの売り上げから一定のロイヤリティをプロデューサーフィーとして徴収する課金システム手段および、かつ各ショップの売り上げが規定値を下回ると、閉鎖または一定額の賃貸料を負担させるペナルティーを付加させ得るようにしたことが特徴の
請求項１乃至１７に示す電子データによる街並み構築方法。
【請求項１９】
各種レストランが並ぶフードショップゾーンとか、野球場やプールなどのスポーツ，趣味のゾーンとか、アパート，公共施設とかの生活ゾーンとか、ＯＬゾーンとか天気予報，占いなどのニュースの掲示表示物含む街並みを、バーチャル and/or リアルタウンとしてパーソナルコンピュター and/or モバイルのデイスプレー上に表示させ、あるいは時間的な経過に従って恰も新しい施設が建設されたかのように表示されるようになし、かつ上記街並内に複数の人物のキャラクターが、自由に往来し、自由にショッピングしたり、それぞれ好き勝手に歩いたり、佇んだり、スポーツをしてたり観戦したり、観劇などの自由気ままな行動をしており、他に所望の入力命令で、上記自由に行動する人物キャラクターと同等の行動をなす、操作者（自己アバター）の制作およびその命令手段および、かかる操作者（自己アバター）をネット上の登録を有償 and/or 無償でなす手段があり、また、操作者の要望で上記街並みのアパートの部屋は、上記操作者（自己アバター）が有償 and/or 無償で借受できる手段があり、かつこの部屋には、上記街並みにある施設の各種イベントに関するダイレクトメールが届けられる手段があり、また、上記操作者（自己アバター）の街並みの自由気ままな行動をから、その行動を記録し、同操作者（自己アバター）の嗜好を選択し、この嗜好に基づいた上記ダイレクトメールを操作者（自己アバター）のアパートの部屋になす手段があり、さらに操作者（自己アバター）の嗜好を選択には、例えばスポーツグッズ販売ゾーンに赴いた数量をカウントするなど、操作者の趣味，嗜好にウエイトを付けこの計算を基本とする「データ」そのものに、重み付けをするスキームで計算をされるようになす手段があること、上記街並みを自由に行動する人物キャラクターが、立ち寄った施設やなどを記録カウントし、その量によってその施設の割引や招待などの基準とするデータを得る手段を有し、上記自分のアパートは自分だけの空間を楽む他、ネット上などで同じ興味の仲間や親しい友達を招き入れ、これら集団でグループ，サークルを作るシステムがあり、同グループ，サークルは街に繰り出して多くの友達を見つけたり、同じ興味の仲間やサークルと合体できるようにした手段と、かかる友達およびサークルを、登録操作者（自己アバター）自信がネット上の登録を有償 and/or 無償でできる手段があり、上記、友達およびサークルの属性情報収集にあって、操作者（自己アバター）が独自のデータを収集できる手段を有することで、信頼性の高いコミュニティの評価がえられるようになし、同じ興味の仲間や親しい友達と、画像配信手段などを用いてチャット通信ができる手段と、かかる友達等とはいつでもメッセージのやりとりができる手段を有し、さらに上記街並みに存在する施設で、各種物品やチケットが購入できる手段と、その課金の手段を有し、かつこの購入には例えばグーグル（google）など検索するためのウエッブサイトでネット検索も可能であり、続いて、上記街並みの主要箇所に、「ドットポイント」を配置する手段を有し、これら「ドットポイント」の複数を通過等させることにより、かかる「ドットポイント」を加算して、かかるポイントの大小で特定の報奨を与え、操作者がかかる街並みにくるこ��および街並の店舗等により多く廻るよう誘発する手段があり、上記ドットポイントは、上記気のあった仲間と共通の趣味や話題からサークルを作るとき、該サークルオーナーになって、仲間を増した場合にもあたえられる手段があること、上記街並みに存在する施設や、各種物品やチケットの価格や説明が、吹き出しで表示されるようになし、かつ、ダウンロードするに当たっては、特別なアプリケーションを必要とせず、衆知のブラウザ（Internet Explorerなど）で表示する Shockwave Player などで、即上記街並みに入れる（表示される）手段を有すること、上記街並みの所定箇所や、自己のアパートや、ホテルなどには掲示板（Dotblog）を掲載し、自由な販売促進の為の広告や、自己の記憶の為のメモやＰＲ，他人へのコメント、日記や遊びに来た友達の足跡などが、街並みの中だけでなくホームページとして、ネット上に載できるようになしかつ、かかる掲示板の掲載事項は誰もがみられるように公開、あるいは特定の人のみ見ることができるようになした手段があること、さらに、上記操作者の上記行動全てをデータベースなどに記録，再生できるようになし、上記街並みのプロデューサーは、上記各ショップの売り上げから一定のロイヤリティをプロデューサーフィーとして徴収する課金手段および、かつ各ショップの売り上げが規定値を下回ると、閉鎖または一定額の賃貸料を負担させるペナルティー付加システムがあることが特徴の
請求項１乃至１９に示す電子データによる街並み構築方法。
【請求項２０】
各種レストランが並ぶフードショップゾーンとか、野球場やプールなどのスポーツ，趣味のゾーンとか、アパート，公共施設とかの生活ゾーンとか、ＯＬゾーンとか天気予報，占いなどのニュース含む街並みを、バーチャル and/or リアルなタウンとしてパーソナルコンピュター and/or 各種のモバイル端末のデイスプレー上に表示させ、あるいは時間的な経過に従って恰も新しい施設が建設されたかのように表示されるようになした手段と、上記街並内に複数の人物のキャラクターが、自由に歩いたり、自由にショピングしたり、それぞれ好き勝手に歩いたり、佇んだり、スポーツをしてたり観戦したり、観劇などの自由気ままな行動をする手段と、他に所望の入力命令で、上記自由に行動する人物キャラクターと同等の行動をなす、操作者（自己アバター）の制作およびその命令手段および、かかる操作者（自己アバター）をネット上の登録を有償 and/or 無償でなす手段があることが特徴の、
電子データによる街並みの操作システム。
【請求項２１】
また、操作者の要望で上記街並みのアパートの部屋は、上記操作者（自己アバター）が有償 and/or 無償で借受できる手段があることが特徴の
請求項２０に示す電子データによる街並みの操作システム。
【請求項２２】
かつこの部屋には、上記街並みにある施設の各種イベントに関するダイレクトメールが届けられる手段があることが特徴の
請求項２０および２１に示す電子データによる街並みの操作システム。
【請求項２３】
また、上記操作者（自己アバター）の街並みの自由気ままな行動をから、その行動を記録し、同操作者（自己アバター）の嗜好を選択し、この嗜好に基づいた上記ダイレクトメールを操作者（自己アバター）のアパートの部屋になす手段があることが特徴の、
請求項２０乃至２２に示す電子データによる街並みの操作システム。
【請求項２４】
さらに操作者（自己アバター）の嗜好を選択には、例えばスポーツグッズ販売ゾーンに赴いた数量をカウントするなど、操作者の趣味，嗜好にウエイトを付けこの計算を基本とする「データ」そのものに、重み付けをするスキームで計算をされるようになす手段があることが特徴の、
請求項２０乃至２３に示す電子データによる街並みの操作システム。
【請求項２５】
上記街並みを自由に行動する人物キャラクターが、立ち寄った施設や店舗などを記録しカウントし、その量によってその施設の割引や招待などの基準とするデータを売る手段を有することが特徴の、
請求項２０乃至２４に示す電子データによる街並みの操作システム。
【請求項２６】
上記自分のアパートは自分だけの空間を楽む他、ネット上などで同じ興味の仲間や親しい友達を招き入れ、これら集団でグループ，サークルを作る手段があり、同グループ，サークルは街に繰り出して多くの友達を見つけたり、同じ興味の仲間やサークルと合体できるようにした手段があることが特徴の、
請求項２０乃至２５に示す電子データによる街並みの操作システム。
【請求項２７】
かかる友達およびサークルを、登録操作者（自己アバター）自信がネット上の登録を有償 and/or 無償でできる手段があることが特徴の、
請求項２０乃至２６に示す電子データによる街並みの操作システム。
【請求項２８】
上記、友達およびサークルの属性情報収集するものであってその収集にあって、操作者（自己アバター）が独自のデータを収集できる手段を有することで、信頼性の高いコミュニティの評価が得られるようになしたことが特徴の、
請求項２０乃至２７に示す電子データによる街並みの操作システム。
【請求項２９】
同じ興味の仲間や親しい友達と、画像配信システムなどを用いてチャット通信ができる手段と、かかる友達等とはいつでもメッセージのやりとりができる手段を有することが特徴の、
請求項２０乃至２８に示す電子データによる街並みの操作システム。
【請求項３０】
さらに上記街並みに存在する施設で、各種物品やチケットが購入できる手段と、その課金手段を有し、かつこの購入には例えば google など検索するためのウエッブサイトでネット検索も可能であることが特徴の、
請求項２０乃至２９に示す電子データによる街並みの操作システム。
【請求項３１】
続いて、上記街並みの主要箇所に、「ドットポイント」を配置する手段を有し、これら「ドットポイント」の複数を通過等させることにより、かかる「ドットポイント」を加算して、かかるポイントの大小で特定の報奨を与え、操作者がかかる街並みにくることおよび街並の店舗等により多く廻るよう誘発する手段があることが特徴の、
請求項２０乃至３０に示す電子データによる街並みの操作システム。
【請求項３２】
上記ドットポイントは、上記気のあった仲間と共通の趣味や話題からサークルを作るとき、該サークルオーナーになって、仲間を増した場合にもあたえられる手段があることが特徴の、
請求項２０乃至３１に示す電子データによる街並みの操作システム。
【請求項３３】
上記街並みに存在する施設や、各種物品やチケットの価格や説明が、吹き出しで表示されるようになしたことが特徴の、
請求項２０乃至３２に示す電子データによる街並みの操作システム。
【請求項３４】
かつ、上記街並みをダウンロードするに当たっては、特別なアプリケーションを必要とせず、衆知のブラウザ（Internet Explorerなど）で表示する Shockwave Player などで、即上記街並みに入れる（表示される）手段を有することが特徴の、
請求項２０乃至３３に示す電子データによる街並みの操作システム。
【請求項３５】
上記街並みの所定箇所や、自己のアパートや、ホテルなどには掲示板（Dotblog）を掲載し、自由な販売促進の為の広告や、自己の記憶の為のメモやＰＲ，他人へのコメント、日記や遊びに来た友達の足跡などが、街並みの中だけでなくホームページとして、ネット上に載できるようになしかつ、かかる掲示板の掲載事項は誰もがみられるように公開、あるいは特定の人のみ見ることができるようになした手段があることが特徴の、
請求項２０乃至３４に示す電子データによる街並みの操作システム。
【請求項３６】
さらに、上記操作者の上記行動全てをデータベースなどに記録，再生できるようになしたことが特徴の、
請求項２０乃至３５に示す電子データによる街並みの操作システム。
【請求項３７】
上記街並みのプロデューサーは、上記各ショップの売り上げから一定のロイヤリティをプロデューサーフィーとして徴収する課金システム手段およびし、かつ各ショップの売り上げが規定値を下回ると、閉鎖または一定額の賃貸料を負担させるペナルティー付加手段があることが特徴の
請求項２０乃至３６に示す電子データによる街並みの操作システム。
【請求項３８】
各種レストランが並ぶフードショップゾーンとか、野球場やプールなどのスポーツ，趣味のゾーンとか、アパート，公共施設とかの生活ゾーンとか、ＯＬゾーンとか天気予報，占いなどのニュースの掲示物含む街並みを、バーチャル and/or リアルなタウンとしてパーソナルコンピュター and/or モバイルのデイスプレー上に表示させ、あるいは時間的な経過に従って恰も新しい施設が建設されたかのように表示されるようになし、かつ上記街並内に複数の人物のキャラクターが、自由に歩いたり,自由にショピングしたり，それぞれ好き勝手に歩いたり，佇んだり，スポーツをしてたり観戦したり，観劇などの自由気ままな行動をしており、他に所望の入力命令で、上記自由に行動する人物キャラクターと同等の行動をなす、操作者（自己アバター）の制作およびその命令手段および、かかる操作者（自己アバター）をネット上の登録を有償 and/or 無償でなす手段があり、また、操作者の要望で上記街並みのアパートの部屋は、上記操作者（自己アバター）が有償 and/or 無償で借受できる手段があり、かつこの部屋には、上記街並みにある施設の各種イベントに関するダイレクトメールが届けられる手段があり、また、上記操作者（自己アバター）の街並みの自由気ままな行動をから、その行動を記録し同操作者（自己アバター）の嗜好を選択し、この嗜好に基づいた上記ダイレクトメールを操作者（自己アバター）のアパートの部屋になす手段があり、さらに操作者（自己アバター）の嗜好を選択には、例えばスポーツグッズ販売ゾーンに赴いた数量をカウントするなど、操作者の趣味，嗜好にウエイトを付けこの計算を基本とする「データ」そのものに、重み付けをするスキームで計算をされるようになす手段があること、上記街並みを自由に行動する人物キャラクターが、立ち寄った施設やなどを記録カウントし、その量によってその施設の割引や招待などの基準とするデータを売るシステムを有し、上記自分のアパートは自分だけの空間を楽む他、ネット上などで同じ興味の仲間や親しい友達を招き入れ、これら集団でグループ，サークルを作るシステムがあり、同グループ，サークルは街に繰り出して多くの友達を見つけたり、同じ興味の仲間やサークルと合体できるようにしたシステムと、かかる友達およびサークルを、登録操作者（自己アバター）自信がネット上の登録を有償 and/or 無償でできるシステムがあり、上記、友達およびサークルの属性情報収集にあって、操作者（自己アバター）が独自のデータを収集できるシステムを有することで、信頼性の高いコミュニティの評価がえられるようになし、同じ興味の仲間や親しい友達と、画像配信システムなどを用いてチャット通信ができるシステムと、かかる友達等とはいつでもメッセージのやりとりができるシステムを有し、さらに上記街並みに存在する施設で、各種物品やチケットが購入できるシステムと、その課金システムを有し、かつこの購入には例えば google など検索するためのウエッブサイトでネット検索も可能であり、続いて、上記街並みの主要箇所に、「ドットポイント」を配置するシステムを有し、これら「ドットポイント」の複数を通過等させることにより、かかる「ドットポイント」を加算して、かかるポイントの大小で特定の報奨を与え、操作者��かかる街並みにくることおよび街並の店舗等により多く廻るよう誘発するシステムがあり、上記ドットポイントは、上記気のあった仲間と共通の趣味や話題からサークルを作るとき、該サークルオーナーになって、仲間を増した場合にもあたえられるシステムがあること、上記街並みに存在する施設や、各種物品やチケットの価格や説明が、吹き出しで表示されるようになし、かつ、ダウンロードするに当たっては、特別なアプリケーションを必要とせず、衆知のブラウザ（Internet Explorerなど）で表示する Shockwave Player などで、即上記街並みに入れる（表示される）システムを有すること、上記街並みの所定箇所や、自己のアパートや、ホテルなどには掲示板（Dotblog）を掲載し、自由な販売促進の為の広告や、自己の記憶の為のメモやＰＲ，他人へのコメント、日記や遊びに来た友達の足跡などが、街並みの中だけでなくホームページとして、ネット上に載できるようになしかつ、かかる掲示板の掲載事項は誰もがみられるように公開、あるいは特定の人のみ見ることができるようになしたシステムがあること、さらに、上記操作者の上記行動全てをデータベースなどに記録，再生できるようになし、上記街並みのプロデューサーは、上記各ショップの売り上げから一定のロイヤリティをプロデューサーフィーとして徴収する課金システムおよびし、かつ各ショップの売り上げが規定値を下回ると、閉鎖または一定額の賃貸料を負担させるペナルティー付加システムがあることが
特徴の請求項２０乃至３７に示す電子データによる街並みの操作システム。
【発明の詳細な説明】
【技術分野】
【０００１】
本発明は、インターネット等の通信網を利用して極く普通の、何処にでもあるのと同様の街並みあるいは、実際の街並みと同等の街並みを模擬した街並みを含むリアルタウンで、しかも通常のショッピングや、観劇やスポーツができる街並を電子データで構築し、さらに自らもこの街並みに参画できる電子データによる街並みの操作方法とそのシステム関する。
【０００２】
この明細書で
操作者（自己アバター）とは、
自分自身の端末器等で、街並み内の自己の分身（アバター）を制作あるいは既存のものから選びこれを操作する行為をいう。
他操作者（他人アバター）とは、
自分自身以外の第３者が、第３者の端末器等で街並み内を操作している他人の分身（アバター）をいう。
【０００３】
プロデューサー（オーナー）とは、
本発明の全ての街並みを経営すると共に、その機能を管理し収益等を得る自然人をいう。
【背景技術】
【０００４】
近頃各種の電子機器を用いて、所謂通常の街と同じ様な街を作り、この街を発展させていくゲームが流行している。例えば株式会社双葉社のシティーブラボー（City Bravo）は、一定範囲の街を作りこの街を時間と共に発展させ経営していくゲーム（非特許文献１参照）である。
【非特許文献１】株式会社双葉社のシティーブラボー
【０００５】
他の従来発明としては、例えば非特許文献１に示された発明も知られている。この従来発明は、各店舗の売上データと各店舗の画面上の専有面積とを考慮して、複数店舗間の経費負担の割合を決めるものである。
【発明の開示】
【発明が解決しようとする課題】
【０００６】
しかし、従来発明には次のような問題がある。即ち、従来のこの種ショッピングスタイルは希望商品を入力して検索すると、その希望商品を扱っている店舗を掲載したページが表示される型式のものである。
【０００７】
しかし、このような検索方式で店舗を絞り込む場合には、店舗の掲載場所と商品の売れ行きとの関連性は低い。
【０００８】
したがって、従来型のショッピングモールの場合、商品の売れ行きと関連性の高い出店料を設定することが出来ない。
【０００９】
さらに、従来型のショッピングモールの場合には、操作者が希望する商品を迅速かつ手軽に購入できる反面、他人との関わり合いを持ちながら店舗を巡るショッピングを楽しむことはできない。
【００１０】
本来、ショッピングの醍醐味は、親しい友達等と一緒に、いろいろな店舗の商品をみながら行うところにあるからである。
【００１１】
また、従来発明においても、店舗の経費は店舗の専有面積と関連しているが、従来型のショッピングモールと同様に、商品の売れ行きと出店料との関連性が低いという問題と、他人との関わり合いを持ちながら店舗を巡るショッピングを楽しむことができないという問題もあった。
【００１２】
総じて従来型のショッピングモールでは、共通して現実のショッピングとかけ離れ、リアリティに欠けるという問題もあった。而して本発明は上記課題を解決し、リアルな活発に活動するリアルな街並みを提唱し、そのシステムを提供するにある。
【課題を解決するための手段】
【００１３】
而して本発明の特徴は、各種レストランが並ぶフードショップゾーンとか、野球場やプールなどのスポーツ，趣味のゾーンとか、アパート，公共施設とかの生活ゾーンとか、若者や女性の集うＯＬゾーンとか、天気予報，占いなどのニュースの表示場所を、バーチャル and/or リアルタウンとしてパーソナルコンピュター（ＰＣ） and/or モバイルのデイスプレー上に表示させたものであって、ここには通常どこにでもある繁華街を、できるだけリアルに表現させしかも時間的な経過に従って、恰も新しい施設が人口の増加（操作者：自己アバターの増加）に伴って新しい商品の店や、新しい興味，趣味の店が続々と、恰も新築され開店されたかのように作られていくような手段およびそのシステムとなし得たことである。
【００１４】
他に本発明の特徴は、さらに上記街並内には複数の人物のキャラクターが、自由奔放に歩いたりショピングしたり、佇んだり、スポーツをしたり観戦したり、観劇などの自由気ままな行動をしている人物や動物を、往来させ得る手段およびそのシステムがあることである。
【００１５】
さらにこの街並みには、操作者（ユーザー（自己アバター））の所望の入力命令で、上記自由に行動する人物キャラクターと同等の行動をなす、操作者（自己アバター）の制作およびその命令手段およびそのシステムがあることである。
【００１６】
また、かかる操作者（自己アバター）の登録を有償 and/or 無償でなすことと、記録および課金手段およびそのシステムがあることである。
【００１７】
他に本発明の特徴は、操作者の要望で上記街並みのアパートのような自室を持つことが出来この自宅は、上記操作者（自己アバター）が有償 and/or 無償で借受できる手段およびそのシステムがあることである。
【００１８】
他に本発明の特徴は、上記自室には、上記街並みにある施設の各種イベントに関するダイレクトメールが届けられる手段およびそのシステムがあることである。
【００１９】
またこの場合、上記操作者（この場合は、街並みを往来している自己アバター）の街並みの自由奔放な行動から、例えば何回スポーツゾーンに赴いたかを記録し、ダイレクトメールを届ける際同操作者（自己アバター）の、「この操作者はスポーツが好き」との嗜好を記録し、この嗜好に基づいた上記ダイレクトメールを操作者（自己アバター）のアパートの部屋になす手段およびそのシステムがあることも、本発明の他の特徴となっている。
【００２０】
この場合上記操作者（自己アバター）の嗜好を選択するには、例えばスポーツグッズ販売ゾーンに赴いた数量をカウントしその数量の多少で、操作者の趣味，嗜好にウエイトを付けこの計算を基本とする「データ」そのものに、重み付けをするスキームで計算をされるようになす手段およびそのシステムがあることも、本発明の他の特徴となっている。
【００２１】
さらに、上記街並みを自由往来する操作者（自己アバター）が、立ち寄った施設を記録しカウントし、その量によってその施設の割引や招待状を贈与するなどの基準とするデータを得る手段およびそのシステムを有することもこの発明の特徴の１つである。
【００２２】
他に本発明の特徴は、上記自室で自分だけの空間を楽む他、ネット上などで同じ興味の仲間や親しい友達を招き入れ、これら集団でグループ，サークルを作る手段があり、同グループ，サークルは街に繰り出して多くの友達を見つけたり、同じ興味の仲間やサークルと合体できるようにした手段およびそのシステムがあることである。
【００２３】
この場合、かかる友達 and/or サークルを、操作者（自己アバター）自身がネット上の登録を有償 and/or 無償でできる手段およびそのシステムがあることもこの発明の特徴である。
【００２４】
またかかる友達 and/or サークルを選択する場合、そのかかる友達 and/or サークルの属性の選択を基準とし、上記友達およびサークルの属性情報収集にあって、操作者（自己アバター）が独自のデータを収集できる手段およびそのシステムを有することも、この発明の特徴の１つである。
【００２５】
他に本発明の特徴は、同じ興味の仲間や親しい友達と、画像配信システムなどを用いてチャット通信ができる手段と、かかる友達等とはいつでもメッセージのやりとりができる手段およびそのシステムを有することである。
【００２６】
他に本発明の特徴は、上記街並みに存在する施設で、各種物品やチケットが購入できる手段およびそのシステムとその課金手段およびそのシステムを有し、かつこの購入には例えばgoogleなど検索するためのウエッブサイトでネット検索も可能であることである。
【００２７】
他に本発明の特徴は、上記街並みの主要箇所に、「ドットポイント」を配置する手段およびそのシステムを有し、これら「ドットポイント」の複数を通過等させることにより、かかる「ドットポイント」を加算して、かかるポイントの大小で特定の報奨を与えられる手段およびそのシステムがあることである。
【００２８】
この場合上記ドットポイントは、上記気のあった仲間と共通の趣味や話題からサークルを作るとき、該サークルオーナーになって、仲間を増した場合にもあたえられる手段およびそのシステムがあることも本発明の特徴となっていることである。
【００２９】
他に本発明の特徴は、上記街並みに存在する施設や、各種物品やチケットの価格や説明が、吹き出しで表示されるようになしたことである。
【００３０】
他に本発明の特徴は、記録（セーブ）された情報をダウンロードするに当たっては、特別なアプリケーションを必要とせず、衆知のブラウザ（Internet Explorerなど）で表示する Shockwave Player などで、即上記街並みに入れる（表示される）手段およびそのシステムを有することである。
【００３１】
他に本発明の特徴は、上記街並みの所定箇所や、自己のアパートや、ホテルなどには掲示板（Dotblog）を掲載し、自由な販売促進の為の広告や、自己の記憶の為のメモやＰＲ，他人へのコメント、日記や遊びに来た友達の足跡などが、街並みの中だけでなくホームページとして、ネット上に載できるようになしかつ、かかる掲示板の掲載事項は誰もがみられるように公開、あるいは特定の人のみ見ることができるようになした手段があることである。
【００３２】
なお当該広告を含む掲示板は、所謂繁華街など即ち多くの人が集まる場所はその掲示価格が高く、その余はこれとの比較において安く設定できるような手段およびそのシステムがあることも本発明の特徴である。
【００３３】
他に本発明の特徴は、上記操作者の上記行動全てをデータベースなどに記録，再生できるようになしたことである。
【００３４】
他に本発明の特徴は、上記街並みのプロデューサー（自然人オーナー）は、上記各ショップの売り上げから一定のロイヤリティをプロデューサーフィーとして徴収する課金システム手段および、かつ各ショップの売り上げが規定値を下回ると、閉鎖または一定額の賃貸料を負担させるペナルティー付加などの権限およびその執行手段があるシステムを提供できたことである。
【００３５】
具体的に本発明の他の特徴は、各種レストランが並ぶフードショップゾーンとか、野球場やプールなどのスポーツ，趣味のゾーンとか、アパート，公共施設とかの生活ゾーンとか、ＯＬゾーンとか天気予報，占いなどのニュース含む街並みを、バーチャル and/or リアルなタウンとしてパーソナルコンピュータ and/or モバイルのデイスプレー上に表示させ、あるいは時間的な経過に従って恰も新しい施設が建設されたかのように表示されるようになし、かつ上記街並内に複数の人物のキャラクターが、自由に歩いたり、自由にショピングしたり、それぞれ好き勝手に歩いたり、佇んだり、スポーツをしたり、観戦したり、観劇などの自由気ままな行動をしており、他に所望の入力命令で上記自由に行動する人物キャラクターと同等の行動をなす操作者（自己アバター）の制作、およびその命令手段およびそのシステムおよび、かかる操作者（自己アバター）はネット上の有償 and/or 無償で登録をなす手段およびそのシステムがあり、また操作者の要望で上記街並みのアパートの部屋は、上記操作者（自己アバター）が有償 and/or無償で借受できる手段およびそのシステムがあり、かつこの部屋には上記街並みにある施設の各種イベントに関するダイレクトメールが届けられる手段およびそのシステムがあり、また上記操作者（自己アバター）の街並みの自由気ままな行動から、その行動を記録し同操作者（自己アバター）の嗜好を選択し、この嗜好に基づいた上記ダイレクトメールを操作者（自己アバター）のアパートの部屋になす手段およびそのシステムがあり、さらに操作者（自己アバター）の嗜好を選択には、例えばスポーツグッズ販売ゾーンに赴いた数量をカウントするなど、操作者の趣味，嗜好にウエイトを付けこの計算を基本とする「データ」そのものに、重み付けをするスキームで計算をされるようになす手段およびそのシステムがあり、上記街並みを自由に行動する人物キャラクターが、立ち寄った施設やなどを記録カウントし、その量によってその施設の割引や招待などの基準とするデータを売るシステムを有し、上記自分の自室には自分だけの空間を楽む他、ネット上などで同じ興味の仲間や親しい友達を招き入れ、これら集団でグループ，サークルを作るシステムがあり、同グループ，サークルは街に繰り出して多くの友達を見つけたり、同じ興味の仲間やサークルと合体できるようにしたシステムと、かかる友達およびサークルを、登録操作者（自己アバター）自信がネット上の登録を有償 and/or 無償でできるシステムがあり、上記友達およびサークルの属性情報収集にあって、操作者（自己アバター）が独自のデータを収集できるシステムを有することで、信頼性の高いコミュニティの評価がえられるようになし、同じ興味の仲間や親しい友達と、画像配信システムなどを用いてチャット通信ができるシステムと、かかる友達等とはいつでもメッセージのやりとりができるシステムを有し、さらに上記街並みに存在する施設で、各種物品やチケットが購入できるシステムと、その課金システムを有しかつこの購入には例えばgoogleなど検索するためのウエッブサイトでネット検索も可能であり、続いて上記街並みの主要箇所に、「ドットポイント」を配置するシステムを有し、これら「ドットポイント」の複数を通過等させることにより、かかる「ドットポイント」を加算して、かかるポイントの大小で特定の報奨を与え、操作者がかかる街並みにくることおよび街並の店舗等により多く廻るよう誘発するシステムがあり、上記ドットポイントは、上記気のあった仲間と共通の趣味や話題からサークルを作るとき、該サークルオーナーになって、仲間を増した場合にもあたえられるシステムがあること、上記街並みに存在する施設や、各種物品やチケットの価格や説明が、吹き出しで表示されるようになし、かつ、ダウンロードするに当たっては、特別なアプリケーションを必要とせず、衆知のブラウザ（Internet Explorerなど）で表示する Shockwave Player などで、即上記街並みに入れる（表示される）システムを有すること、上記街並みの所定箇所や、自己のアパートや、ホテルなどには掲示板（Dotblog）を掲載し、自由な販売促進の為の広告や、自己の記憶の為のメモやＰＲ，他人へのコメント、日記や遊びに来た友達の足跡などが、街並みの中だけでなくホームページとして、ネット上に載できるようになしかつ、かかる掲示板の掲載事項は誰もがみられるように公開、あるいは特定の人のみ見ることができるようになしたシステムがあること、さらに、上記操作者の上記行動全てをデータベースなどに記録，再生できるようになし、上記街並みのプロデューサーは、上記各ショップの売り上げから一定のロイヤリティをプロデューサーフィーとして徴収する課金システムおよび、かつ各ショップの売り上げが規定値を下回ると、閉鎖または一定額の賃貸料を負担させるペナルティー付加システムがあることであることである。
【発明の効果】
【００３６】
本発明には以下述べる本発明の効果の他、多数の優れた作用効果を有するが、これらは実施例の詳細な説明の項で述べるとして、本発明の主な効果は以下の通である。即ち、
【００３７】
総じて本発明の効果は、本発明の街並みは通常どこにでもある繁華街を、できるだけリアルに表現させたものであり、さらにこの街並みには自分自身（操作者であり、ユーザー）自由に、街並みを歩き回り、例えばデパートでネット上の買物を楽しみ、所望のチームの対戦する野球場で実際のゲームを観戦（ＴＶ等）したり、囲碁，将棋会所では相手を選んでネット上で対戦できる他、レストランではメニューをみて実際の店に赴たり、出前を頼んだり、天気予報，占いなどのニュースも電光掲示板でみられるなど、自宅で恰も繁華街に繰り出したような錯覚で、現実のショッピングに近いリアリティに富んだショッピングができることである。
【００３８】
しかもこの街並みには、その人口の増加や新しいファッションなどの情報を取入れることにより、新しい興味，趣味の店が続々と、恰も新築され開店されたかのように造られ、操作者の興味が益々増大されるようになっていることも、本発明の他の効果である。
【００３９】
他に本発明の効果は、上記街並みに有償 and/or 無償で自室を持つことが出来、自分自身がこの街の住人になれることである。
【００４０】
他に本発明の効果は、上記自室に街並みにある施設の、各種イベントに関するダイレクトメールが届けられることである。またこの場合のダイレクトメールは、操作者（自己アバター）この嗜好即ち野球が好きと判断されたら、野球グッズの購入を勧誘するような、操作者（自己アバター）の要求するダイレクトメールが届けられるようになっていることである。
【００４１】
さらに、街並みを自由に動く操作者（自己アバター）が、なるべく長い時間上記街並みに留って貰うため、立ち寄った施設を記録カウントし、その量によってその施設の割引や招待状を贈けることができることもこの発明の効果の１つである。
【００４２】
他に本発明の効果は、自分だけでなくネット上などで同じ興味の仲間や親しい友達とグループ，サークルを作れることで、結果ネット上あるいは現実に多くの友達を見つけたり、同じ興味の仲間やサークルと合体できることである。
【００４３】
また他のサークルあるいは友達と、自己 and/or 自己のサークルと合体するその良否の選択する場合、そのかかる他のサークルの属性データがその選択の判断材料として提供されるので、常に友人として相応しい他のサークルあるいは友達を選ぶことができるということも、本発明の効果である。
【００４４】
他に本発明の効果は、同じ興味の仲間や親しい友達と、画像配信システムなどを用いてチャット通信ができ必要ならかかる友人の顔を見ながら、親睦等深めることができるようになったことである。
【００４５】
他に本発明の効果は、街並みの施設で例えば各種物品やチケットの購入には、例えば google など検索するためのウエッブサイトでネット検索できるので、簡単にかかる購入操作が行えるようになったことである。
【００４６】
他に本発明の効果は、操作者が出来るだけ長くこの街並みに滞在するように、街並みの主要箇所に、ドットポイント獲得箇所を秘密あるいは公然と配置したことによって、このドットポイントの複数を通過等させることによりを加算して、その量の多少で報奨が貰えるようにし操作者に多大な興味を持たせることができたことある。
【００４７】
そして、この場合上記ドットポイントは、サークルオーナーになって、仲間を増した場合等でも加算されるようにしたことで、益々操作者を長くこの街並み釘づけできるようにしたことである。
【００４８】
他に本発明の効果は、街並みの施設や物品やチケットの価格や説明が、所謂吹き出しでなされるので、街並みの絵柄と同時に文字等による吹き出しでより、操作者に物品やチケットの購買意欲を高めることができるようになったことである。
【００４９】
なお、本発明の他の効果として、記録（セーブ）された情報をダウンロードするに当たっては、特別なアプリケーションを必要とせず、簡単にダウンロードできるようにしたことである。
【００５０】
他に本発明の効果としては上記街並みの所定箇所や自己のアパートその他に掲示板（Dotblog）を掲載したから、自由な広告や、自己の記憶の為のメモやＰＲ，他人へのコメント、ができるようになしたことである。
【００５１】
なおこの場合掲示板は、人が多く出回わる量などで適宜選定できるようにしたことである。
【００５２】
他に本発明の効果は、上記街並みのプロデューサー（自然人：オーナー）に、街並みに出店したショップの売り上げなどから、ロイヤリティを徴収したり、このショップの売り上げが下回ると、閉鎖または一定額の賃貸料を負担させるペナルティー付加などの権限およびその執行手段およびそのシステムを持たせることで、常に操作者の嗜好にあった活気ある街造ができる配慮がなされていることである。
【実施例１】
【００５３】
以下、本発明に於ける各システムと、操作手段について図面に基づいて説明する。
【００５４】
まず図１及び７で、（１）は街並みで（２）は各種店舗等への出店であり、たとえば（４）は各種レストランが並ぶフードショップゾーン、（５）は野球場やプールなどのスポーツ，趣味のゾーン、（６）はアパートなどの自室，公共施設とかの生活ゾーン、（７）若者や女性の集うＯＬゾーン、（８）は天気予報，占いなどのニュースの表示場所をバーチャル and/or リアルなタウンとしてパーソナルコンピュター and/or モバイルのデイスプレー上に表示させたニュースの表示場所であって、ここには通常どこにでもある繁華街をできるだけリアルに表現させることが肝要である。
【００５５】
また人口の増加（操作者：ユーザー（自己アバター）の増加）など時間的な経過に伴って恰も新しい商品の店や、新しい興味，趣味の店が続々と、恰も新築され開店されたかのように作られていくような手段およびそのシステムを設けることも重要である。
【００５６】
勿論この街並み（１）の施設の配置など制作にあっては、これに限定されることなく図８のように、モニュメント（２０１）を中心としてその周囲の同芯円状に、衣服などのファッションゾーン（２０２），スニーカなどが購入できるヤングゾーン（２０４），テントなど購入できるレジャーゾーン（２０３），公園（２０５），台所用品などの主婦ゾーン（２０６），レストランなど食ゾーン（２０７），アパートなど住宅ゾーン（２０８），玩具などのキッズゾーン（２０９），テレビ、ラジオの家電ゾーン（２１０），スーツなどの購入ができるミドルゾーン（２１１），図書館、美術館、映画館の知的ゾーン（２１２），化粧品など購入できるＯＬゾーン（２１３），大工道具などの雑貨ゾーン（２１４），の施設や店舗を配するなど自由に構築できる。
【００５７】
その構築する方法は、公園（２０５）などの公的施設を構築してのち、一定の条件で出店者を募り順次上記の各種出店（２）を構築するのがよいが、予めある程度の街並み（１）を完成させてから、図２のように出店（２）を勧誘してもよい。
【００５８】
この出店（２）の出店手段は詳細に図示あるいは、記述していないが通常衆知の店の造形ができるプログラムと装置で、容易にかかる店舗を構築設定することが可能である。
【００５９】
当然のことながら出店（２）したい人は、たとえば出店者自身の端末器から、自分の名前あるいは企業名称，出店期間，要望する街並み（１）内の出店場所，それにかかる出店場所に依存した出店料に関するデータを入力する出店手続を行うことになる。
【００６０】
通常この出店手続も衆知あるいは公知の手段での、出店端末にある出店手続送信手段によって実行される。そして出店手続送信手段は、街並み（１）を構築し管理する方法から予めダウンロードしたプログラムにある送信プログラムと、出店者端末のデータ送信部で構成されている。
【００６１】
出店手続のデータはたとえばプロバイダのサーバー（３５）に送られ、そのデータはインターネットを介して詳細には説明しないが、出店管理システムに送信され保管され記録されるようになっている。
【００６２】
なおこの街並み（１）は、通常どこにでもある現代の繁華街を、できるだけリアルに表現させることに趣を置いているが、人口の増加や、新しい街の出現や温泉地にＰＲに併って赴くなど時間的な経過に従って電車やバス（有料（１２）and/or無料（１３））を走らすとおもしろい。
【００６３】
なお図８は、街並み（１）を構築する手段が、操作者（ユーザー）の端末の画面上に表示されるホームページのトップページの一例を示す図である。
【００６４】
仮にこのトップページは、街並み（１）のソフトをダウンロードするか否かを決定する画面でもある。即ち操作者（ユーザー）が、操作者端末の画面上において「ＹＥＳ」ボタン（２１５）をクリックすれば、ソフトのダウンロード（図１でスタート（３））が開始する。
【００６５】
一方「ＮＯ」ボタン（２１６）をクリックすれば、ソフトのダウンロードは行われない。また図７，図８のトップページでは３Ｄ画像の街並み（１）が表示されているが、街並み（１）は、街の拡大やビルの建築等に伴い変化するようになっている。
【００６６】
蛇足ながらかかる街並み（１）は、３Ｄ画像ではなく２Ｄ画像であっても良いが３Ｄ画像の街並みとした方が、よりリアリティに富んだショッピング等ができること当然である。
【００６７】
次に上記街並み（１）内には、複数の異なった人物のキャラクター（９）［この人物キャラクター（９）が他人の操作者で操作されているときは他人アバター（３６）］が自由奔放に歩いたりショピングしたり、佇んだり、スポーツをしたりあるいは当該スポーツを観戦したり、観劇するなどの自由気ままな行動をしており、この他犬や猫などの動物も徘徊させ得るプログラムが制作（１０）されている。
【００６８】
さらにこの街並み（１）には図１のように、操作者する者［多くはこの街並み（１）内に自分自身で参加し物品の購入等したいと考えているユーザー］の所望の命令入力で街並み（１）内を自由に行動する自己アバターを配置するプログラムがある。
【００６９】
この手続は、まず操作者（ユーザー）の端末器で本システムの経営者（オーナー）のサーバー（３５）などから自己アバターを選定（１１）しその登録をなす手続から行う。
【００７０】
その手続は図９のように予めネット上に登録されている人物のキャラクター（３６）から、所望の１人の人物キャラクターを選びこれを、操作者（ユーザー）の意志で街並み（１）内を活動する自己アバター（３７）とするのが最もよい。
【００７１】
この図９の自己アバター（３７）以外の人物キャラクター（３６）及び猫や犬などのキャラクター（３６）は上記街並み（１）にそれぞれ配置され、街並み（１）内自由に行動している。
【００７２】
なお、かかる操作者（自己アバター（３７））の登録は無料（１３） and/or 有料（１２）があるが、通常有償でその登録料の請求や入金や登録票，パスワードの発行などの記録および課金システム（１５）があること当然である。
【００７３】
而して、操作者（ユーザー）は操作者（ユーザー）自身の端末を用いて、図示しないアクセスポイントからプロバイダのサーバーに接続し、インターネットを介して構築された街並み（１）に接続する。
【００７４】
続いて操作者（ユーザー）は、操作者（ユーザー）自身の端末の画面上に展開される街並み（１）内において、操作者（自己アバター（３７））を制作（１０）して、フードショップゾーン（４）で各種食事のメニューをみて、実際のその店に赴く情報を得たり、スポーツ，趣味のゾーン（５）では映画館で実際と同じように映画を、また野球場では今実際に行われているプロ野球を、衆知のビデオ配信システムにより見たり、若者や女性の集うＯＬゾーン（７）では欲しい衣服を選んでネット上で購入したり、ニュースの表示場所（８）では、明日の天気予報，今日の占いなどを見るなどゲーム感覚で上記ショッピングや観劇などを楽しむことが出来るのである。
【００７５】
また図１０は本発明の他の実施例で、操作者（ユーザー）の要望で上記街並み（１）内の所望の位置に、操作者（自己アバター（３７））のたとえばアパート内にあるような自室（３８）を制作（１４）でき、持つことが出来るようにしたことである。
【００７６】
この自室（３８）の借入は有償 and/or 無償で、当然のことながらその衆知の手段よりなる借受の登録手続，記録手段，課金システムがある。
【００７７】
他の本発明の実施例としては、図４のように上記操作者（自己アバター）のアパートのような自室（３８）に、上記街並み（１）にある施設の、各種イベント等に関するダイレクトメールが届けられる手段があることである。
【００７８】
またこの場合、上記操作者（この場合は、街並み（１）を往来している自己アバター（３７））の街並み（１）の自由奔放な行動から、例えば何回スポーツゾーンに赴いたかを記録し、ダイレクトメールを届ける際同操作者（自己アバター（３７））の、この操作者は「スポーツが好き」との嗜好を見い出し（１６）、この嗜好に基づいた上記ダイレクトメールを操作者（自己アバター（３７））のアパートの部屋（３８）になす手段（１７）がある。
【００７９】
このダイレクトメールが届けられているか否かは、操作者（自己アバター（３７））が自室（３８）に戻ると、図１０のように自動的に操作者（ユーザー）の端末機画面にあるツールバー（３９）や、同画面上の新たなウインド（４０）が開かれるなど、衆知の手段でメールがこの部屋に届けられていることが分るようになっている。
【００８０】
従って上記操作者（自己アバター（３７））には、その嗜好に基づいた中身の濃い、ダイレクトメールが届けられるのである。さらにこの操作者（ユーザー（自己アバター（３７）））のよりウエイト（１８）の高い嗜好を見いだす手段としては、例えば操作者（ユーザー（自己アバター（３７）））が街並み（１）の各ゾーンのどのゾーンに赴いた回数をカウントすることでよい。
【００８１】
即ち、例えばスポーツゾーン（５）に赴いた回数が記録（２０）（２１）され、他のゾーンとの比較において多ければそれだけ、操作者（ユーザー（自己アバター（３７）））の趣味，嗜好がスポーツであることが裏付けられたこととなりそのウエイト（１８）及びこの裏付けの計算を基本とする「データ」（１９）そのものに、重み付けをするスキームで計算（２２）をされるようになすようになっているからである。
【００８２】
続いて、操作者（ユーザー（自己アバター（３７）））は、自分だけの空間を楽むだけでなく上記自室（３８）に、街並み（１）で知り合った同じ興味の仲間や親しい友達を招き入れ、これら集団で図５のようにグループ，サークルを作る（２５）ことができるのである。
【００８３】
さらに、この友達 and/or サークルを選択する場合、かかる友達 and/or サークルの属性（平たくいえば同じ趣味を持つ友人あるいはサークルであるか否かの見極め）の選択（２３）を基準として記録（２４）し、上記友達およびサークルの属性情報収集にあって、操作者（ユーザー（自己アバター（３７）））が独自のデータを収集できるのである。
【００８４】
この場合操作者（ユーザー（自己アバター（３７）））自らこれら集団のグループ，サークルを作ることができ、同グループ，サークルは街に繰り出して多くの友達を見つけたり、同じ趣味の仲間やサークルと合体できるようにすることも可能なのである。
【００８５】
この場合の手段として図１３のようなグループ，サークル募集のメニュー画面（４５）が、操作者（ユーザー）のあるいは他の操作者の端末器に表示されるようにするとよい。
【００８６】
ここには「１０代の皆さん集まれ」とか「おしゃれクラブよ」とかの表示をなし、入会したい者はこの表示（４６）をクリックすることで、入会できるような手続メニューに変るようになっている。
【００８７】
なお、上記画面（４５）には、現在の参加人数（４７）や登録数（４８）を記述するとよい。なおこの場合、かかる友達 and/or サークルを、操作者自身がネット上の登録を有償 and/or 無償でできるシステムも設けられている。
【００８８】
しかも、上記同じ興味の仲間や親しい友達との行動（２６）を、画像配信システムなどを用いてチャット（２７）通信ができ、かかる友達等とはいつでもメッセージのやりとりもできるようにすることが好しい。
【００８９】
例えばこの構成は、図５のようにまず操作者（自己アバター（３７））と、他の操作者のキャラクター［以後、他操作者（他人アバター（３６））という］の間に、街並み（１）内において予め設定された会話可能な距離、即ち会話が聞こえる距離か否かを判別する公知の距離判別システム（４１）がある。
【００９０】
この距離判別システム（４１）は、接近状況認識手段としての機能を有し、操作者（自己アバター（３７））毎に、操作者（他人アバター（３６））との距離を判別する機能をもっている。そこで、距離判別システム（４１）は、会話が聞こえる距離に居る操作者（自己アバター（３７））には図示しない出力表示制御部に会話表示を許可する信号を送ることになる。
【００９１】
一方、会話が聞こえる距離より遠くに居る操作者（自己アバター（３７））については、上記信号は、出力表示制御部に送られないように構成されているのである。
【００９２】
この出力表示制御は、距離判別システム（４１）からの信号に基づいて、操作者（自己アバター（３７））の会話表示を許可する構成部であり、出力可能状態変更手段である。
【００９３】
ただし、ある操作者（自己アバター（３７））から会話可能な距離にある他のキャラクター（３６）の会話が全て表示されるわけではない。操作者（ユーザー）が、操作者（ユーザー）端末からマウスでクリック等の選択操作を行うことによって会話が行われるのである。
【００９４】
また、操作者（自己アバター（３７））の場合には、チャット（２７）を希望する意思表示を予め行っている他操作者（他人アバター（３６））に限って、会話表示が可能となるのである。
【００９５】
したがって、操作者（自己アバター（３７））の会話がなされるのは、チャット（２７）を希望する他操作者が操作していて、操作者（自己アバター（３７））から所定距離内に存在しており、さらに、操作者が他操作者（他人アバター（３６））とのチャット（２７）をする選択操作をした場合となる。
【００９６】
この場合他操作者（他人アバター（３６））には、応答する処理を行う構成部であり、応答手段としての機能を有すること勿論である。
【００９７】
具体的には操作者（自己アバター（３７））、操作者（ユーザー）端末から、他操作者（他人アバター（３６））に対する問い合わせを入力すると、その問い合わせは応答システムに送られ、応答システムはその問い合わせの内容を解読して応答する他、記録（２４）部に予め記憶している適正な応答を引き出す。
【００９８】
そして、その適正な応答は、応答システムを通じて双方の操作者端末に表示される。このときその問い合わせが複雑であったり、意味不明な文章であったりすると、応答部は適正な応答を引き出すことができない。
【００９９】
かかる場合には、応答部は「もう一度、問い合わせをやり直して下さい。」という文字データを、記録（２４）部から引き出し発信者の端末に送るようにするとよい。
【０１００】
かかる、例えば操作者（自己アバター（３７））と他操作者（他人アバター（３６））との会話によって、共通の話題や共通の趣味があるなど両者の属性に共通点があり、友達としてあるいはサークルの仲間として活動したいと思えば、一般社会生活がそうであるように、まず自己紹介をおこなう。
【０１０１】
名刺交換でもよいが年齢や、共通の趣味や、他操作者（他人アバター（３６））の居所など、なるべく詳細な情報が欲しい。
【０１０２】
これら双方が紹介し合う紹介情報は通常共に共通の記録（２４）部に蓄積されており、例えば操作者（ユーザー（自己アバター（３７）））が操作者の端末を利用して、他操作者（他人アバター（３６））特定し「紹介させてください」という文字データを送り、他操作者（他人アバター（３６））から、ＹＥＳの意志表示があれば紹介情報部の記録（２４）部において特定された他操作者（他人アバター（３６））持つデータを、操作者（自己アバター（３７））に付与する処理を行うことになる。
【０１０３】
このようにして友達を順次作っていくことになり、この場合操作者（ユーザー（自己アバター（３７）））が呼び掛け人（オーナー）となって、その数人を誘ってサークルを作ることになる。
【０１０４】
この場合、かかる友達 and/or サークルができたことを、操作者（ユーザー（自己アバター（３７）））自身がネット上に登録することができ、それは有償でも無償でもよい。
【０１０５】
次に本発明の他の実施例では、かかる街並み（１）に操作者（自己アバター（３７））や、他操作者（他人アバター（３６））や、サークルを長く留めおく為や、その他度々訪れるような工夫がなされている。
【０１０６】
その１つとしては、上記街並み（１）に存在する施設で、特に客寄せしたイベントを開催しているなど主要箇所に、図１１でみられるようなドットポイント（４２）を配置し、衆知の手段でこれらドットポイント（４２）を通過、或いは立ち止る或いは物品を購入する等させることにより、かかるドットポイント（４２）に至った回数をカウント加算（２８）して、そのポイントを通過した多い少いで特定の報奨（２９）を他操作者（他人アバター（３６））与えるようにするとよい。
【０１０７】
この場合上記の報奨ポイントは、気のあった仲間と共通の趣味や話題からサークルを作るとき、該サークルオーナーになって仲間を増した場合にもその貢献度に従って与えられるようにすることが望ましい。
【０１０８】
なお、図６のように上記操作者（自己 and/or 他人アバター）の行動やショッピングなどの情報を、記録（セーブ）（ａ）したりこれら情報をダウンロードするに当たっては、特別なアプリケーションを必要とせず、衆知のブラウザ（Internet Explorerなど）で表示する Shockwave Player（ｂ）などで、即上記街並み（１）に表示させる手段を有することである。
【０１０９】
また図１１，１２，１５でみられるように上記街並み（１）の所定箇所や、自己のアパートや、ホテルなどには掲示板（Dotblog）（４３）を配置するとよい。
【０１１０】
ここには、自由な販売促進の為の広告や、自己の記憶の為のメモやＰＲ，他人へのコメント、日記や遊びに来た友達の足跡など（３１）が、衆知の手段で掲示されるようになっている。
【０１１１】
またこの情報は掲示板（Dotblog）（４３）に限らず、図１１，１２，１４，で見られるように、販売している物品の紹介や、各種物品やチケットの価格や説明が掲示板（Dotblog）（４３）の制作と吹き出し制作プログラム（３０）及び書き込みプログラム（３１）で制作され記載された、吹き出し（４４）で表示されるようにもなっている。
【０１１２】
なおこの吹き出し（４４）は、上記新たな友達を作る際のチャット（２７）会話にも用いると面白い。ただこれら吹き出し（４４）は、友達同士の秘密の会話が取上げられることがあり、かかる掲示板（Dotblog）（４３）の掲載事項は誰もがみられる公開のほか、特定の人のみ見ることができるように工夫されることが肝要である。
【０１１３】
なお当該広告を含む掲示板（Dotblog）（４３）は、図１６に示すように、街並み（１）の中でも、所謂繁華街即ち多くの人が集まる場所はその掲示（Ａ），（Ｂ），（Ｃ），（Ｄ）等の価格が高く、その余（Ｘ），（Ｙ），（Ｚ）はこれとの比較において安く設定できるような繁栄度の設定（Ｅ）がとられることも本発明を実施するにあたって、重要な事項である。
【０１１４】
また上記街並み（１）のプロデューサー（３２）（自然人オーナー）が、上記各ショップの売り上げから一定のロイヤリティをプロデューサーフィーとして徴収する公知の課金システム（３３）があり、このシステムには各ショップの売り上げが規定値を下回ると、閉鎖または一定額の賃貸料を負担させるペナルティー付加（３４）などの権限およびその執行手段がある。
【０１１５】
例えば図７で、この街並み（１）内の中央には繁華街があり、このエリアは最も出店料が高いエリアである。なお図中、（５０）に示すエリアは次に出店料が高いエリアである。また（５１）はその次に出店料が高いエリアである。
【０１１６】
この実施の形態で夫々のエリアは、当然のことながら中央の繁華街に最も人が集まり、エリア（５０）エリア（５１）となって順次比較的人が集まり難くなっている。勿論ここでは、各エリア三種類を人の混雑場所としてしか設定されていないが、４種以上の段階に分けても良いし、２種類の段階のみとしても良い。
【０１１７】
また上記街並み（１）の所定箇所や、自己のアパートや、ホテルなどには図７でみられるように掲示板（Dotblog）（４３）を掲載し、自由な販売促進の為の広告や、自己の記憶の為のメモやＰＲ，他人へのコメント、日記や遊びに来た友達の足跡などが、街並み（１）の中だけでなくホームページとして、ネット上に掲載できるようになしかつ、かかる掲示板（Dotblog）（４３）の掲載事項は誰もがみられるように公開、あるいは特定の人のみ見ることができるようになした手段があることである。
【０１１８】
なお当該広告を含む掲示板（Dotblog）（４３）は、所謂繁華街など即ち多くの人が集まる場所はその掲示価格が高く、その余はこれとの比較において安く設定できるようになっている。
【０１１９】
即ち上記中央の繁華街は、この街並み（１）の中心タワーあるエリアとその周囲のエリアであって、最も自己アバター或いは他人アバターが集まりやすいと考えられるのであり、従って掲示板（Dotblog）（４３）の価格が高いことは頷ける。
【０１２０】
これとの比較において中心タワーから遠い場所にある掲示板（Dotblog）（４３）の場合はその価格が安いものとなること当然である。
【０１２１】
また、この掲示板（Dotblog）（４３）の価格ランクはあくまでも初期設定であり、以後のランクは所定時期に計算される操作者（自己アバター（３７））の人数の多い少いによって変化するようにしている。
【０１２２】
したがって、最初は繁華街であっても格下げとなるエリアもある一方、最初は下のクラスのエリアであっても繁華街のクラスに格上げとなるエリアも存在する。
【０１２３】
これと同じように、各エリアに出店（２）する出店料も同じように異なるようにすることが肝要である。同じエリアであっても、例えばビルの各階によって異なる出店料が設定されている。
【０１２４】
また、出店期間（契約）によっても、出店料に差異を設けるべく、短期間の出店（２）を対象とし、長期間の出店料に対し例えば２／３などとする。さらに各店舗は、プロデューサー（３２）（自然人オーナー）が構築し、管理する予め用意した店舗であっても、出店者が自分で描画した出店（２）であっても良い。
【０１２５】
前者の場合には、操作者は、出店手続の際に出店（２）の掲載一覧から選ぶのがよい。また一方後者の場合には、イラストソフトを用いて描画したオリジナルショップを構築し管理する。
【０１２６】
その構築し管理する方法は、送信されたオリジナルショップを指定された場所に描画するようにようになっている。
【０１２７】
さらに、上記街並み（１）の所定の位置に予めドットポイント標識（４９）を設置することが重要である。そして街並み（１）を自由に往来する操作者（ユーザー（自己アバター（３７）））が、立ち寄ったりこのポイント標識（４９）を通過した回数を記録カウントし、その量によってその施設の割引や招待状を贈与したり、操作者（ユーザー（自己アバター（３７）））の嗜好などの基準とするデータを得ることができるのである。
【０１２８】
また操作者（ユーザー（自己アバター（３７）））が、他の操作者が操作する他人アバター（３６）を選択し、各種情報信号を送信することもできる。その選択送信手段については詳細に記述しないが、予めダウンロードしたプログラムにある選択送信プログラムと、送信部から成っているのが通常である。
【０１２９】
そして、種々の情報交換や問い合わせ手段についても、操作者（ユーザー）端末のローカルエリアネットワーク（ＬＡＮ）で繋がれるシステムで良い。
【０１３０】
このようにして友達を順次作っていくことになり、この場合操作者（ユーザー（自己アバター（３７）））が呼び掛け人（オーナー）となって、その数人を誘ってサークルを作ることになる。
【０１３１】
また、街並み（１）内の中心地（２０１）や公園（２０５）には、予め人（自己（３７） and/or 他人アバター（３６））が集まり易い集合場所を設置しておくとよい。
【０１３２】
このシステムには上記集合場所は、上記のように操作者（自己アバター（３７））が集まりやすいと思われる場所を特定する手段がある。この場合たとえば、前記サーバー（３５）に予め格納されている場所情報を引き出し、各場所に集まり易さの順位付けを行うものである。
【０１３３】
この他、街並み（１）内の各場所毎で所定時間毎に操作者（自己アバター（３７））の人数を計算して、集合場所の順位付けを行う方法がある。前者の場合には、所定時間毎に操作者（自己アバター（３７））の数を計算して、上記集合場所の順位を決めるものであるから、所定時間毎に集合場所の順位が変化し得ておもしろい。
【０１３４】
操作者（自己アバター（３７））の数を計算する処理は、１時間毎あるいは１２時間毎などの任意の時間毎に行われるものであるが、この時間は１時間毎や１２時間毎に限定されず、１日あるいは１月等の任意の時間としても良い。
【０１３５】
なお、この実施では、上記の２通りの手段を述べたがこれらを組み合わせて、集合場所を特定してもよい。すなわち、街並み（１）の初期段階では固定された順位づけを採用し、初期段階から４個月経過するたびに、操作者（自己アバター（３７））の累積を計算し、その計算結果に基づいて集合場所を特定する変動式を採用するのが最もよい。
【０１３６】
なお上記出店料はこの合場所特定部の特定に基づいて、出店料金を設定するのがよい。即ち操作者（自己（３７） and/or 他人アバター（３６））が集まりやすい場所ほど、高い出店料金を設定するようにしている。
【０１３７】
出店料を予め指定しておき、その出店範囲毎に段階的な出店料を設定するようにする。なお、操作者（自己（３７） and/or 他人アバター（３６））の絶対数ではなく、街並み（１）内の全操作者操作者（自己（３７） and/or 他人アバター（３６））数に対する相対比率で、出店料を設定するようにしても良い。
【０１３８】
さらに当然のことながら、上記掲示板（Dotblog）（４３）や操作者（自己アバター（３７））の部屋（３８）に配付されるちらし、新製品情報、企画情報、安売り情報、広告等の所定情報は、プロデューサー（３２）（オーナー）によって作られ他、操作者（自己（３７） and/or 他人アバター（３６））操作者が入力した情報を含むものであっても良い。
【０１３９】
なお、掲示板（Dotblog）（４３）以外の告示媒体、例えば、街並み（１）内において広告塔や音声放送を導入して、所定情報を告示するようにしても良い。
【０１４０】
出店者，あるいは広告配付の依頼をするスポンサー（ユーザー）は、詳細な説明図示はしてないが、たとえば上記サーバー（３５）内に、出店手続部があり出店者から出店要請を受け、その手続を受け付けると共に受け付けた旨のレスポンスを返信する。
【０１４１】
例えば、スポンサーが出店手続のロゴをクリックすると、出店受付部は記憶されているサーバー（３５）から出店手続の入力フォーマットを引き出して、スポンサーの端末に表示させる。この入力フォーマットには、出店場所とそれに伴う出店料を決める欄があり、スポンサーが全ての出店手続を完了して送信すると、サーバー（３５）は出店手続の内容を再び記憶するようにするのが一般的である。
【０１４２】
上記掲示板（Dotblog）（４３）や、操作者（自己アバター（３７））の部屋（３８）に配付されるちらしなどの情報入力は、「釣の仲間を誘うなど」個人的なものの他、主にスポンサーが要望するもので、その管理する手段の１つとしては記憶されているサーバー（３５）から、情報提供手続の入力フォーマットを引き出して、スポンサーの端末に表示させる。
【０１４３】
そしてスポンサーはこの入力フォーマットに、新製品情報、企画情報、安売り情報、広告等を入力する。すると、入力された所定情報は、情報部に送られて掲示板（Dotblog）（４３）のフォーマットで、あるいは「ちらし」のフォーマットそれぞれ掲載できるようになっている。
【０１４４】
なお、本発明の実施例では本発明の街並み（１）に、街並み（１）に関する案内などの問い合せができる手段を設けるとよい。この場合操作者（自己アバター（３７））の端末器からサーバー（３５）を呼び、予め設定記憶させていた情報から質問に応答できる情報を検索して、操作者（自己アバター（３７））に提供することができるようにする他、街並み（１）を往来している人キャラクターの１乃至数人を例えば案内嬢に選定（１１）して、チャット（２７）型式の案内をさせるとおもしろい。
【０１４５】
この問い合わせ受付手段も公知の手段でよく、操作者（自己アバター（３７））操作者から案内キャラクターに対する問い合わせを受け付けて、サーバー（３５）に設けた応答部に送信する構成があり、問い合わせ受付手段としての機能を有するようになっている。
【０１４６】
この問い合わせ受付は、操作者からの問い合わせを行う信号を受け取ると、同記録部から所定の入力フォーマットを引き出すもので、操作者（自己アバター（３７））はこの入力フォーマットに、問い合わせしたい内容を入力することで行われるようにすることがその１例である。
【０１４７】
なお、会話は上記吹き出し（４４）の外、街並み（１）を表示している掲示板（Dotblog）（４３）画面において、画面の一部を完全に隠すように表示したり、画面の一部が透けるように表示したりすることができる。かかる２種類の表示は、選択できたりいずれか一方に固定したりすることができる。
【０１４８】
この案内嬢（キャラクター）表示や応答方法は、先のチャット（２７）の方式と略同じであるが操作者からの問い合わせの信号に対して、案内嬢がうなずく動作等をさせるなどの工夫がなされている。
【０１４９】
この案内嬢は、予め記憶した内容の応答をするようにしているが、オペレータが操作する特殊な案内キャラクターを設置し、他操作者（自己アバター（３７））と同じ機構で、操作者（自己アバター（３７））と会話するようにしても良い。また、案内キャラクターとの会話は、操作者（自己アバター（３７））がどの位置にいても可能としても良い。
【０１５０】
なお、かかる案内の記録，メモや先の友人，サークルの電子メールアドレスは、必ずしも操作者（自己アバター（３７））に送信されなくても良い。かかる場合送信を受け取った操作者（自己アバター（３７））を操作する操作者は、その記載された事項を選択して、操作者端末の別のファイルに保存することも可能である。
【０１５１】
また、メールソフトに格納したり、別のファイルに保存する記載事項は、名前と電子メールアドレスに限定されるものではない。例えば、住所、電話番号、ホームページのアドレス（ＵＲＬ）を含めても良い。また、電子メールアドレスのみとしても良い。また、名刺に記載された事項を、操作者端末に送信せずに、単に街並み（１）中に表示するようにしても良い。
【０１５２】
さらに、時刻情報に基づいた雰囲気設定機能は、必ずしも必要ない。即ち外国など時刻情報が大きく異なる２つの地域から参加している操作者が、別々の雰囲気でデートすると、会話がちぐはぐになり、楽しめなくなることも考えられる。
【０１５３】
したがって、雰囲気設定機能は、操作者の選択により設定できるようにするのが望ましい。また、インターネットを通じた街並み（１）の運営ではなく、ＬＡＮのような閉じられた通信網の範囲内で、街並み（１）を運営しても良い。
【０１５４】
各種物品やチケットが購入できる手段とその課金手段を有し、かつこの購入には例えば google など検索するためのウエッブサイトでネット検索も可能であることである。
【０１５５】
また他の実施例としては、上記操作者（自己アバター（３７））の上記行動全てをデータベースなどに記録，再生できるようになしたこと当然である。
【０１５６】
以上説明したように従って本発明によれば、他人との関わり合いを持ちながらショッピングを楽しむことができると共に、操作者間で秘密性の高い会話ができる。また、他の発明によれば、現実のショッピングに近いリアリティに富んだショッピングができる等々である。
【符号の説明】
【０１５７】
Ａ          掲示
Ｂ          掲示
Ｃ          掲示
Ｄ          掲示
Ｅ          繁栄度の設定
Ｘ          掲示
Ｙ          掲示
Ｚ          掲示
ａ          記録（セーブ）
ｂ          Shockwave Player
１          街並み
２          出店
３          スタート
４          フードショップゾーン
５          スポーツ，趣味のゾーン
６          生活ゾーン
７          ＯＬゾーン
８          ニュースの表示場所
９          キャラクター
１０        制作
１１        選定
１２        有料
１３        無料
１４        自己アパートの制作
１５        記録および課金システム
１６        見い出し
１７        ダイレクトメールの送付手段
１８        ウエイト
１９        データ
２０、２１  記録
２２        計算
２３        選択
２４        記録
２５        グループ，サークルを作る
２６        行動
２７        チャット
２８        カウント加算
２９        特定の報奨
３０        吹き出し制作プログラム
３１        書き込みプログラム
３２        プロデューサー
３３        課金システム
３４        ペナルティー付加
３５        サーバー
３６        他人アバター（キャラクター）
３７        自己アバター
３８        自室（部屋）
３９        ツールバー
４０        新たなウインド
４１        距離判別システム
４２        ドットポイント
４３        掲示板（Dotblog）
４４        吹き出し
４５        グループ，サークル募集のメニュー画面
４６        表示
４７        現在の参加人数
４８        登録数
４９        ドットポイント標識
５０        エリア
５１        エリア
２０１      モニュメント（中心地）
２０２      ファッションゾーン
２０４      ヤングゾーン
２０３      レジャーゾーン
２０５      公園
２０６      主婦ゾーン
２０７      食ゾーン
２０８      住宅ゾーン
２０９      キッズゾーン
２１０      家電ゾーン
２１１      ミドルゾーン
２１２      知的ゾーン
２１３      ＯＬゾーン
２１４      雑貨ゾーン
２１５      「ＹＥＳ」ボタン
２１６      「ＮＯ」ボタン
【図面の簡単な説明】
【０１５８】
【図１】本発明の１実施例で、ネット上の街並み構築方法と操作手段全体のブロック図である。
【図２】同街並みと施設のブロック図である。
【図３】同街並みに自由に行動する操作者（自己アバター）のシステムおよび操作手段のブロック図である。
【図４】同街並みに自由に行動する操作者（自己アバター）のシステムおよび操作手段のブロック図である。
【図５】同街並みに自由に行動する操作者（自己アバター）のシステムおよび操作手段のブロック図である。
【図６】同街並みに自由に行動する操作者（自己アバター）のシステムおよび操作手段のブロック図である。
【図７】同街並み全体の斜視図
【図８】同街並み全体の解説斜視図
【図９】選びだす人物キャラター（アバター）の参考図
【図１０】操作者（自己アバター）の部屋の斜視参考図
【図１１】他の実施例を示す、街並み中心部の解説斜視図
【図１２】「吹き込み」の例を示す説明図
【図１３】グループ，サークル募集のメニュー画面の説明図
【図１４】自己アバターの行動説明図
【図１５】ドットポイントシステムの説明ブロック図
【図１６】街の繁栄度のブロック説明図
【図１】
2005316586.tif 000002
【図２】
2005316586.tif 000003
【図３】
2005316586.tif 000004
【図４】
2005316586.tif 000005
【図５】
2005316586.tif 000006
【図６】
2005316586.tif 000007
【図７】
2005316586.tif 000008
【図８】
2005316586.tif 000009
【図９】
2005316586.tif 000010
【図１０】
2005316586.tif 000011
【図１１】
2005316586.tif 000012
【図１２】
2005316586.tif 000013
【図１３】
2005316586.tif 000014
【図１４】
2005316586.tif 000015
【図１５】
2005316586.tif 000016
【図１６】
2005316586.tif 000017
【手続補正書】
【提出日】平成16年5月20日(2004.5.20)
【手続補正１】
【補正対象書類名】明細書
【補正対象項目名】０００５
【補正方法】変更
【補正の内容】
【０００５】
他の従来発明としては、例えば非特許文献１に示された発明も知られている。この従来発明は、各店舗の売り上げデータと各店舗の画面上の専有面積とを考慮して、複数店舗間の経費負担の割合を決めるものである。
【特許文献１】特開２００２−１０９３６１